(57)【特許請求の範囲】
【請求項１】
沸騰水型原子炉の原子炉圧力容器内に設けられ、循環冷却水を炉心に循環させるライザ、ディフューザおよびインレットミキサを備えたジェットポンプであって、前記インレットミキサに上方離間位置からの遠隔操作により調芯可能なウェッジを有するインレットミキサ遠隔調芯機構を設け、このウェッジはインレットミキサの周囲の複数個所に取付けた上下方向に移動可能かつ上下停止位置の設定が可能な調芯ウェッジとしたことを特徴とする原子炉用ジェットポンプ。
【請求項２】
請求項１記載の原子炉用ジェットポンプにおいて、調芯ウェッジの上下位置を設定する手段は、前記調芯ウェッジの上端部に螺合した回転操作用のねじ部を有する垂直な調芯スタッドであり、この調芯スタッドの上下突出位置により前記調芯ウェッジの停止位置の設定を行うものであることを特徴とする原子炉用ジェットポンプ。
【発明の詳細な説明】
【０００１】
【発明の属する技術分野】
本発明は沸騰水型原子炉の原子炉圧力容器のダウンカマ部に設置される冷却水循環用のジェットポンプに係り、特にインレットミキサをディフューザと同心に据付けるための調芯機構を有する原子炉用ジェットポンプに関する。
【０００２】
【従来の技術】
図６は、沸騰水型原子炉の原子炉圧力容器１に設けられるジェットポンプの配置構成等を示している。即ち、原子炉圧力容器１の炉壁とその中心部に設けられる炉心シュラウド２との周方向間隙がダウンカマ３と称され、このダウンカマ３部にジェットポンプ４が設置されている。このジェットポンプ４を介し、循環冷却水が再循環ノズル５から下部プレナム部６に吐出され、これにより循環冷却水が炉心へ供給される。
【０００３】
このようなジェットポンプ４は、再循環ノズル５から供給された循環冷却水を上昇させるライザ７、上昇した冷却水を炉水とともに下方に導くインレットミキサ９および冷却水を下方に噴出するディフューザ８等により構成されている。
【０００４】
そして、ジェットポンプ４を原子炉圧力容器１内に設置する際には、ライザ７、ディフューザ８およびインレットミキサ９の順に据付けている。即ち、インレットミキサ９の据付は、その下端を、ライザ７のパイプ側面に取付けられたライザブラケット１４に挿通させ、ディフューザ８の頂部の開口部に差込む。そして、インレットミキサ９側に設けられるエルボ１８のシート面をライザ７の頂部に搭載し、ビームを締付けてライザ７と締結して完了する。
【０００５】
ところで、インレットミキサ９はその機能上、下端部がディフューザ８の下端開口部と同心的に据付けられ、遠隔での取外しができなければならない。
【０００６】
このため従来技術では、インレットミキサ９をライザブラケット１４に取付けられた２本の図示しない調整ねじと、インレットミキサ９に取付けられ垂直なロッドに沿って昇降可能な図示しない楔、つまりウェッジとにより、周方向の３点でライザブラット１４に調芯可能に支持させ、これによりディフューザ８と同心となる調整を行うようにしている。調芯後には、調整ねじを溶接等によってライザブラケットに固着している。
【０００７】
これにより、ウェッジは据付時の調芯終了後はロッドにより水平方向の動きを拘束され、インレットミキサ９の外周面により回転方向の動きをそれぞれ拘束され、垂直方向のみの動きが可能となっている。
【０００８】
そして、前述した２本の調整ねじが固定されているので、定期点検等の際にインレットミキサ９を取外した後の再据付については、インレットミキサ９を吊降す操作を行うだけで、インレットミキサ９の下端部がディフューザ８の開口部８ａと同心的に位置決めでき、その状態でウェッジを押し下げることによって据付け固定できることになる。
【０００９】
【発明が解決しようとする課題】
ところが実際には、上述した従来の調整ねじを用いた調芯機構にあっては、例えば運転後のジェットポンプ取替工事のように、放射線量がきわめて高い環境で据付けを行う場合、ジェットポンプ新設時と異なり、作業者がウェッジに接近することが被ばくの面から困難となり、例えば遠隔操作によって据付を行おうとしても、調整ねじとウェッジとの共働によるインレトミキサの芯位置への確実な調整が困難であり、作業が面倒で、かつ能率が悪い等の問題がある。
【００１０】
本発明はこのような事情に鑑みてなされたもので、原子炉圧力容器の上方等からの遠隔操作によってインレットミキサの調芯作業が容易かつ確実に行え、しかもインレットミキサの再据付の際における調芯作業を不要として作業の軽減、迅速化等が図れる原子炉用ジェットポンプを提供することを目的とする。
【００１１】
【課題を解決するための手段】
前記の目的を達成するために、請求項１の発明では、沸騰水型原子炉の原子炉圧力容器内に設けられ、循環冷却水を炉心に循環させるライザ、ディフューザおよびインレットミキサを備えたジェットポンプであって、前記インレットミキサに上方離間位置からの遠隔操作により調芯可能なウェッジを有するインレットミキサ遠隔調芯機構を設け、このウェッジはインレットミキサの周囲の複数個所に取付けた上下方向に移動可能かつ上下停止位置の設定が可能な調芯ウェッジとしたことを特徴とする原子炉用ジェットポンプを提供する。
【００１３】
請求項２の発明では、請求項１記載の原子炉用ジェットポンプにおいて、調芯ウェッジの上下位置を設定する手段は、前記調芯ウェッジの上端部に螺合した回転操作用のねじ部を有する垂直な調芯スタッドであり、この調芯スタッドの上下突出位置により前記調芯ウェッジの停止位置の設定を行うものであることを特徴とする原子炉用ジェットポンプを提供する。
【００１４】
【発明の実施の形態】
以下、本発明に係るジェットポンプの一実施形態について、図１〜図５を参照して説明する。なお、原子炉内におけるジェットポンプの配置構成等については、図６に示したものと同様であるから、同図もそのまま参照する。
【００１５】
図１は本実施形態によるジェットポンプの要部を拡大して示す側断面図（図４のＤ−Ｄ線断面図）である。図２は図６に示したジェットポンプの構成を異なる方向から拡大して示した全体側面図であり、図３は図２のＡ矢視拡大図である。図４は図３のＢ−Ｂ断面図であり、図５は図４のＣ−Ｃ断面図である。
【００１６】
これらの図に示すように、本実施形態のジェットポンプ４は、沸騰水型原子炉の原子炉圧力容器１内のダウンカマ３に設置され、循環冷却水を下部プレナム６から炉心へ供給するものであり、このジェットポンプ４は大別して、ライザ７、ディフューザ８およびインレットミキサ９から構成される。
【００１７】
ライザ７は、再循環ノズル５に接続されるエルボ１１と、このエルボ１１に連結された上向きのパイプ１２と、このパイプ１２の上端に設けられたトランジションピース１３とからなっている。パイプ１２の側面部には、ライザブラケット１４が取付けられている。
【００１８】
また、インレットミキサ９は、トランジションピース１３のシート面上に設置されて冷却水を下向流とするエルボ１８と、このエルボ１８の下端にノズル１９を介して接続された下方に延びるスロート２０とからなっている。
【００１９】
また、ディフューザ８は、上部にインレットミキサ９が差し込まれる開口部を有するカラー１７と、このカラー１７の下端に接続されたテーパ状のシェル１６と、このシェル１６の下端に接続され、炉心シュラウド２のシュラウドサポート１０に接続するテールパイプ１５とからなっている。
【００２０】
このような構成において、本実施形態では図１、図４および図５に示すように、インレットミキサ９を上方離間位置からの遠隔操作によって調芯することができるインレットミキサ遠隔調芯機構が設けられている。
【００２１】
即ち、インレットミキサ遠隔調芯機構は図４に示すように、インレットミキサ９の周囲３個所に取付けられた上下方向に移動可能なウェッジ２１，２２，２２を有するものとされている。
【００２２】
１つのウェッジ２１は上述した従来例で示したものと同様であり、その詳細は図４および図５に示してある。つまり、このウェッジ２１は下端側が肉薄となるテーパ状のものであり、一定長の垂直なロッド２３に対し、上下方向にスライド可能に支持されている。ロッド２３の上下端部には、それぞれねじ部２３ａが設けてあり、これらのねじ部２３ａが、ライザブラケット１４から上下に突出するサポート２４の水平な支持板２４ａの孔にそれぞれ挿通されている。そして、各ねじ部２３ａには、ロッド２３の上下端側からナット２５がそれぞれ螺合され、これらのナット２５の締付けによってロッド２３が固定される。ウェッジ２１は所定の押し下げ力によってライザブラケット１４の内周側に沿って下降でき、インレットミキサ９のスロート２０の外周面に圧接できる。
【００２３】
また、他方の１対のウェッジ２２は、従来の調芯用ねじに代って本発明により新たに導入されたものであり（以下、これらを調芯ウェッジ２２という）、その詳細を図１および図４に示してある。
【００２４】
即ち、これらの調芯ウェッジ２２は、下端側が肉薄となるテーパ状部分とその上端の非テーパ状部分とからなり、インレットミキサ９のスロート２０に接近した部位が２本の平行なロッド２６に昇降可能に支持され、ロッドはそれぞれ図５に示したウェッジ２１と同様に、サポート２７に上下のねじ部２６ａおよびナット２８を介して固定されている。そしてさらに、本実施形態の調芯ウェッジ２２にあっては、その上端部の非テーパ部外周位置に、それぞれ１本の垂直な調芯スタッド２９が上下に突出した状態で螺挿合され、この調芯スタッド２９が軸心周りの回転によって調芯ウェッジ２２に対して上下動できるようになっている。
【００２５】
この調芯スタッド２９の上端部に、ねじ部２９ａが形成され、このねじ部２９ａに螺合した調芯ナット３０によって、調芯スタッド２９が所定高さで停止でき、この調芯スタッド２９の下端部がライザブラケット１４の上面に当接した状態とすることにより、調芯ウェッジ２２がその自重によって上下に位置決めできるようになっている。
【００２６】
次に、作用について説明する。
【００２７】
インレットミキサ９の据付作業については、従来と同様に、スロート２０の下端をライザブラケット１４に通過させ、カラー１７の頂部の開口部に差込み、エルボ１８をトランジションピース１３のシート面に設置する。そして、インレットミキサ９の調芯を行い、インレットミキサ９とライザ７と締結することによって完了する。
【００２８】
この場合、インレットミキサ９の調芯に際しては、このインレットミキサ９の側面に取付けられた１つのウェッジ２１と、前述した１対の調芯ウェッジ２２との３点により行う。
【００２９】
ウェッジ２１は、ロッド２３により水平方向の動きが拘束されるとともに、スロート２０外周面により回転方向の動きを拘束され、垂直方向のみの動きが可能となっている。
【００３０】
一方、調芯ウェッジ２２は、２本のロッド２６により水平方向の動きを拘束されるとともに、スロート２０の外周面により回転方向の動きを拘束され、それぞれ垂直方向のみの動きが可能となっている点ではウェッジ２１と同様であるが、この調芯ウェッジ２２には、調芯スタッド２９が螺合され、この調芯スタッド２９をライザブラケット１４と接している図１の状態において回転させることにより、調芯ウェッジ２２が上下に移動する。
【００３１】
そして、この調芯ウェッジ２２がテーパ面を有しているので、調芯ウェッジ２２が上下に移動することにより、インレットミキサ９を水平方向に移動させることができ、それによりインレットミキサ９の調芯作業が行えるとともに、決定した調芯に固定することができる。
【００３２】
この調芯手順についてさらに詳述すると、まずウェッジ２１と調芯ウェッジ２２とを、スロート２０とライザサポートブラケット１４との間に差し込む。そして、調芯スタッド２９を回転させることにより調芯ウェッジ２２を上下方向に移動させ、調芯ウェッジ２２が有するテーパー面により、スロート２０側面を押し付け、インレットミキサ９を水平方向に移動させる。
【００３３】
さらに、スロート２０の下端とカラー開口部とが同心となるように調整を行い、その位置で調芯ナット３０を締込んで、調芯スタッド２９を固定する。
【００３４】
このような本実施形態によれば、調芯スタッド２９の固定により、調芯ウェッジ２２とライザブラケット１４の上面との距離を常に一定に保つことができる。したがって、インレットミキサ９を取外した後の状態においても、調芯ウェッジ２２は初期設置の状態で固定配置しておくことができるので、再据付け等の際には、単にインレットミキサ９を炉内所定位置に吊下すことにより、調芯ブラケット２２との接触によって自動的に調芯作が行なわれ、特別に調芯作業を行うことは不要となる。仮に調整が必要となった場合においても、調芯ナット３０を炉上の遠隔位置から所定の治具を用いて回転させて調芯することができ、遠隔操作による調芯作業が可能となる。
【００３５】
よって、本実施形態によれば、上方からの遠隔操作によるねじ回転等によってりインレットミキサ９の調芯作業が可能となり、かつインレットミキサ再据付の際においても調芯作業が不要となり、または容易に作業することができ、ジェットポンプ４の取替工事などの放射線量がきわめて高い環境での据付の場合、あるいは構造的に作業員が接近できない場合であっても、調整ねじの取付けが可能となり、インレットミキサ９の調芯作業を容易かつ確実に行うことができる。
【００３６】
【発明の効果】
以上で詳述したように、本発明に係るジェットポンプによれば、原子炉圧力容器の上方等からの遠隔操作によってインレットミキサの調芯作業が容易かつ確実に行え、しかもインレットミキサの再据付の際における調芯作業を不要として作業の軽減、迅速化等が図れる等の効果が奏される。
【図面の簡単な説明】
【図１】本発明に係るジェットポンプの一実施形態を示すもので、インレットミキサ遠隔調芯機構部分の構成図（図４のＤ−Ｄ線断面図）。
【図２】前記実施形態によるジェットポンプの全体構成を概略的に示す図。
【図３】図２のＡ矢視拡大図。
【図４】図３のＢ−Ｂ線断面図。
【図５】図４のＣ−Ｃ線断面図。
【図６】ジェットポンプが設置された沸騰水型原子炉の原子炉圧力容器を示す概略断面図。
【符号の説明】
１  原子炉圧力容器
２  炉心シュラウド
３  ダウンカマ
４  ジェットポンプ
５  再循環ノズル
６  下部プレナム部
７  ライザ
８  ディフューザ
８ａ  開口部
９  インレットミキサ
１０  シュラウドサポートプレート
１１  エルボ
１２  パイプ
１３  トランジションピース
１４  ライザブラケット
１５  テールパイプ
１６  シェル
１７  カラー
１８  エルボ
１９  ノズル
２０  スロート
２１  ウェッジ
２２  調芯ウェッジ
２３  ロッド
２３ａ  ねじ部
２４  サポート
２４ａ  支持板
２５  ナット
２６  ロッド
２６ａ  ねじ部
２７  サポート
２８  ナット
２９  調芯スタッド
３０  調芯ナット
【図１】
0004231611.tif 000002
【図２】
0004231611.tif 000003
【図３】
0004231611.tif 000004
【図４】
0004231611.tif 000005
【図５】
0004231611.tif 000006
【図６】
0004231611.tif 000007